(57)【要約】【課題】複数のビニールハウス等に灌水及び溶液等を供給する際に、簡易な構成で、自動的に各々のハウスに確実に灌水し、溶液の濃度を一定に維持する。【解決手段】灌水用ポンプ３ａと、排水タンク１１と、管路内の圧力が所定の値以上となった場合に灌水用ポンプ３ａを停止させる圧力スイッチ８と、溶液タンク１７と、溶液をメインバルブ１３の下流側に供給する溶液用ポンプ３ｂとを備え、制御手段によって、灌水用ポンプ３ａを始動させた後、タイマーで計測される所定時間内に圧力スイッチ８が管路内の圧力が所定以上となったことを検知して灌水用ポンプ３ａを停止させ、所定時間経過後に灌水用ポンプ３ａを運転し、メインバルブ１３を開くと同時に溶液用ポンプ３ｂを運転して吐出側管路を介して灌水及び溶液の供給を行い、所定時間経過後に両ポンプ３ａ、３ｂを停止し、排水タンク１１に貯蔵された水を系外に排出する。【選択図】図１
0003123976.tif 000002
【実用新案登録請求の範囲】
【請求項１】
灌水を汲み上げる灌水用ポンプと、
該灌水用ポンプの吐出側管路から分岐した管路に設けられ、該灌水用ポンプから吐出された水を蓄える排水タンクと、
前記灌水用ポンプの吐出側管路に設けられ、該管路内の圧力が所定の値以上となった場合に、前記灌水用ポンプを停止させる圧力スイッチと、
前記灌水用ポンプの吐出側管路の前記圧力スイッチより下流側に設けられるバルブと、
タイマーと、
溶液を蓄える溶液タンクと、
該溶液タンク内の溶液を、前記灌水用ポンプの吐出側管路の前記バルブの下流側に供給する溶液用ポンプと、
システム全体を制御する制御手段とを備え、
該制御手段は、前記灌水用ポンプが始動した後、前記タイマーで計測される所定時間内に、前記圧力スイッチが前記管路内の圧力が所定以上となったことを検知して前記灌水用ポンプを停止させた後、前記タイマーで計測される所定時間経過後に前記灌水用ポンプを運転し、前記バルブを開くと同時に、前記溶液用ポンプを運転して前記吐出側管路を介して灌水及び溶液の供給を行い、さらに、前記タイマーで計測される所定時間経過後に前記灌水用及び溶液用ポンプを停止するとともに、前記排水タンクに貯蔵された水を系外に排出するように制御することを特徴とする灌水・溶液供給システム。
【請求項２】
前記溶液は、薬液又は液肥であることを特徴とする請求項１に記載の灌水・溶液供給システム。
【考案の詳細な説明】
【技術分野】
【０００１】
本考案は、灌水・溶液供給システムに関し、特に、地下水を汲み上げて複数のビニールハウス等に灌水を行うとともに、各々のビニールハウスに液肥等の溶液を供給する際等に用いられる灌水・溶液供給システムに関する。
【背景技術】
【０００２】
従来、地下水をポンプで汲み上げて複数のビニールハウス（以下、適宜「ハウス」と略称する）等に灌水する場合には、例えば、図２に示すように、ポンプ２３で地下水を汲み上げ、ハウス２２Ａ〜２２Ｄに順次灌水を行っていた。この際、灌水を自動で行うには、例えば、ポンプ２３をタイマー運転し、ポンプ２３が運転されている間にタイマーを利用してメインバルブ２４を開いた後、バルブ２５Ａ〜２５Ｄを順次切り換え、ハウス２２Ａ〜２２Ｄの順に灌水を行っていた。
【０００３】
しかし、上記従来の灌水システム２１においては、地下水のレベルが変動すると、ポンプ２３が始動した後、水が汲み上げられるまでの時間が変動する。そして、地下水のレベルが低いと、ポンプ２３が始動した後、水がポンプ２３の出口に達するまでに長時間を要する場合がある。そのような場合であっても、バルブ２５Ａ〜２５Ｄは、予め定められたタイミングで開閉されるため、最初にバルブ２５Ａが開となっても、その際に水がまだ汲み上げられていないためハウス２２Ａに灌水することができず、農作物の生育に好ましくない状態となる場合があった。
【０００４】
例えば、ポンプ２３が始動して３分後に、メインバルブ２４が開になるとともに、バルブ２５Ａが開き、その１分後にバルブ２５Ａが閉じてバルブ２５Ｂが開き、その１分後にバルブ２５Ｂが閉じてバルブ２５Ｃが開くというシーケンスが設定されているような場合に、ポンプ２３が始動して４分が経過してもまだ地下水が汲み上げられていないと、バルブ２５Ａが開いていてもハウス２２Ａに灌水することができない事態となる。
【０００５】
上記問題を解決するため、本出願人は、特許文献１において、灌水を汲み上げるポンプと、ポンプの吐出側管路から分岐した管路に設けられ、ポンプから吐出された水を蓄える排水タンクと、ポンプの吐出側管路に設けられ、管路内の圧力が所定の値以上となった場合に、ポンプを停止させる圧力スイッチと、タイマーと、システム全体を制御する制御手段とを備え、ポンプが始動した後、所定時間内に圧力スイッチが管路内の圧力が所定以上となったことを検知してポンプを停止させた後、所定時間経過後にポンプを運転して吐出側管路を介して灌水を行い、さらに、所定時間経過後にポンプを停止するとともに、排水タンクに貯蔵された水を系外に排出する灌水システムを提案した。
【特許文献１】特開２００６−１０１７１６号公報
【考案の開示】
【考案が解決しようとする課題】
【０００６】
しかし、灌水のみではなく、液肥等の溶液も同時にハウス等に供給する場合には、新たに溶液タンク及び溶液を供給するためのポンプを設置する必要があるが、例えば、灌水用ポンプの吐出口に液肥等の溶液を供給すると、装置が腐食するおそれがある。また、ハウスの各々に溶液用ポンプ及び溶液タンクを設置すると、コストが高騰するとともに、制御が複雑化するため、濃度を一定に保ちながら溶液等を供給することは困難である。
【０００７】
そこで、本考案は、上記従来の技術における問題点に鑑みてなされたものであって、複数のビニールハウス等に灌水及び溶液の供給を行う場合でも、簡易な構成で、自動的に各々のハウスに確実に灌水を行うとともに、濃度を一定に保ちながら溶液等を供給することができる灌水・溶液供給システムを提供することを目的とする。
【課題を解決するための手段】
【０００８】
上記目的を達成するため、本考案は、灌水・溶液供給システムであって、灌水を汲み上げる灌水用ポンプと、該灌水用ポンプの吐出側管路から分岐した管路に設けられ、該灌水用ポンプから吐出された水を蓄える排水タンクと、前記灌水用ポンプの吐出側管路に設けられ、該管路内の圧力が所定の値以上となった場合に、前記灌水用ポンプを停止させる圧力スイッチと、前記灌水用ポンプの吐出側管路の前記圧力スイッチより下流側に設けられるバルブと、タイマーと、溶液を蓄える溶液タンクと、該溶液タンク内の溶液を、前記灌水用ポンプの吐出側管路の前記バルブの下流側に供給する溶液用ポンプと、システム全体を制御する制御手段とを備え、該制御手段は、前記灌水用ポンプが始動した後、前記タイマーで計測される所定時間内に、前記圧力スイッチが前記管路内の圧力が所定以上となったことを検知して前記灌水用ポンプを停止させた後、前記タイマーで計測される所定時間経過後に前記灌水用ポンプを運転し、前記バルブを開くと同時に、前記溶液用ポンプを運転して前記吐出側管路を介して灌水及び溶液の供給を行い、さらに、前記タイマーで計測される所定時間経過後に前記灌水用及び溶液用ポンプを停止するとともに、前記排水タンクに貯蔵された水を系外に排出するように制御することを特徴とする。
【０００９】
そして、本考案によれば、圧力スイッチがポンプの吐出側の管路内の圧力が所定以上となったこと、すなわち、地下水等の灌水がポンプの吐出側まで汲み上げられたことを検知した後、バルブと溶液ポンプの運転を同時に行うため、複数の場所、例えばビニールハウス等に灌水及び溶液供給を行う場合でも、もれなく確実に灌水を行うことができるとともに、濃度を一定に保ちながら溶液を供給することができる。尚、溶液には、薬液、液肥等が含まれる。
【考案の効果】
【００１０】
以上のように、本考案によれば、複数のビニールハウス等に灌水及び溶液供給をする場合でも、簡易な構成で、自動的に各々のハウスにもれなく確実に灌水及び溶液の供給を行うことができ、溶液の濃度を常に一定に保つことができる灌水・溶液供給システムを提供することができる。
【考案を実施するための最良の形態】
【００１１】
図１は、本考案にかかる灌水・溶液供給システムの一実施の形態を示し、この灌水・溶液供給システム１は、大別して、灌水用ポンプ３ａと、灌水用ポンプ３ａから吐出された水を蓄える排水タンク１１と、灌水用ポンプ３ａの吐出側の送水管１０内の圧力が所定の値以上となった場合に灌水用ポンプ３ａを停止させる圧力スイッチ８と、圧力スイッチ８を機能させるための圧力タンク７と、送水管１０と排水タンク１１とを接続する管路に配置された減圧弁９と、図示しないタイマーと、液肥等の溶液を蓄える溶液タンク１７と、溶液用ポンプ３ｂと、システム全体の制御手段としてのコントローラ等で構成され、ビニールハウス２Ａ〜２Ｄに灌水及び溶液の供給を行うために用いられる。
【００１２】
灌水用ポンプ３ａは、地下水を汲み上げるために配置され、灌水用モータ４ａによって駆動される。灌水用ポンプ３ａの運転停止は、上記タイマー等によって制御される。灌水用ポンプ３ａの下方には、異物等のシステム内への侵入を防止するフートバルブ５が設けられる。
【００１３】
排水タンク１１は、管路１４を介して灌水用ポンプ３ａから吐出された水を蓄えることができる。排水タンク１１には、ボールタップが備えられ、タンク内の水のレベルが所定の値になると、排水タンク１１への水の進入が遮断されるように構成される。排水タンク１１には、排水弁１１ａが設けられ、排水弁１１ａを介して排水タンク１１内の水を系外に排出することができる。
【００１４】
圧力タンク７は、空気ポンプ等で内部に空気を充填することができるように構成され、内部の圧力は、１ｋｇ／ｃｍ2程度に維持される。
【００１５】
圧力スイッチ８は、送水管１０の内部の圧力によって灌水用ポンプ３ａの運転を制御するために備えられ、圧力タンク７の空気圧と、送水管１０内の水圧とに基づいて、送水管１０内の圧力が所定の値以上となったことを検知し、所定の信号をコントローラに送信する。
【００１６】
減圧弁９は、送水管１０の内部の圧力が上昇した際に、灌水用ポンプ３ａを介して汲み上げられた水を排水タンク１１に逃がすために備えられる。
【００１７】
送水管１０には、灌水用ポンプ３ａの直後に逆止弁１２が配置され、さらにメインバルブ１３を経て、ビニールハウス２Ａ〜２Ｄにバルブ１６Ａ〜１６Ｄが配置される。
【００１８】
溶液用ポンプ３ｂは、溶液タンク１７の溶液を灌水用ポンプ３ａの吐出側管路のメインバルブ１３の下流側に供給するために配置され、溶液用モータ４ｂによって駆動される。
【００１９】
次に、上記構成を有する灌水・溶液供給システム１の動作について、図１を参照しながら説明する。
【００２０】
まず、普段の灌水用ポンプ３ａによる灌水の汲み上げに要する時間を考慮して、コントローラに、灌水用ポンプ３ａによる汲み上げ時間を設定する。例えば、普段灌水用ポンプ３ａによって略々３分以内に汲み上げが行われることが判っている場合には、３分を設定する。この時間の他、コントローラには、本システム１の起動開始時刻、灌水用ポンプ３ａの待機時間、灌水用ポンプ３ａを運転して灌水を行う時間を設定する。また、溶液用ポンプ３ｂの運転時間を、灌水用ポンプ３ａの運転時間と同じ時間に設定する。
【００２１】
上記設定した時刻になると、まず、減圧弁９が開く。次に、灌水用モータ４ａによって灌水用ポンプ３ａの運転が開始され、地下水の汲み上げが行われる。フートバルブ５を介して灌水用ポンプ３ａから汲み上げられた水は、メインバルブ１３の手前に達して停止するとともに、管路１４を介して排水タンク１１に供給される。また、減圧弁９からも一部の水が管路１５を介して排水タンク１１に流れる。
【００２２】
排水タンク１１が満杯になると、ボールタップが機能して排水タンク１１への流路が遮断される。すると、灌水用ポンプ３ａから汲み上げられた水は、行き場がなくなるため、送水管１０内の水圧が上昇する。圧力スイッチ８は、この圧力の上昇を検知し、圧力スイッチ８からの信号によって灌水用ポンプ３ａが停止する。これまでのステップは、通常、設定された３分間以内に完了するが、３分間以内に完了しない場合には、灌水・溶液供給システム１全体を停止する。
【００２３】
圧力スイッチ８によって灌水用ポンプ３ａが停止してから灌水用ポンプ３ａの待機時間である１分間が経過すると、灌水用ポンプ３ａを再度運転し、メインバルブ１３を開くと同時に、溶液用ポンプ３ｂを運転する。そして、バルブ１６Ａ〜１６Ｄを順次切り換え、ハウス２Ａ〜２Ｄの順に灌水及び溶液の供給を行う。
【００２４】
所定の灌水及び溶液供給時間が経過すると、灌水用ポンプ３ａ及び溶液用ポンプ３ｂを停止するとともに、排水タンク１１の排水弁１１ａを開き、排水タンク１１に貯蔵された水を系外に排出し、次の灌水及び溶液の供給に備える。
【００２５】
尚、上記実施の形態においては、圧力タンク７を有する圧力検知手段について説明したが、この圧力検知手段は、空気圧を利用するもの以外にも、適切に送水管１０内の水圧を検知して灌水用ポンプ３ａを停止させることができる構成であれば足りる。また、圧力検知手段の構成によっては、減圧弁９を不要とすることもできる。
【図面の簡単な説明】
【００２６】
【図１】本考案にかかる灌水・溶液供給システムの一実施の形態を示すフロー図である。
【図２】従来の灌水システムの一例を示すフロー図である。
【符号の説明】
【００２７】
１  灌水・溶液供給システム
２（２Ａ〜２Ｄ）  ビニールハウス
３ａ  灌水用ポンプ
３ｂ  溶液用ポンプ
４ａ  灌水用モータ
４ｂ  溶液用モータ
５  フートバルブ
７  圧力タンク
８  圧力スイッチ
９  減圧弁
１０  送水管
１１  排水タンク
１１ａ  排水弁
１２  逆止弁
１３  メインバルブ
１４  管路
１５  管路
１６（１６Ａ〜１６Ｄ）  バルブ
１７  溶液タンク
【図１】
0003123976.tif 000003
【図２】
0003123976.tif 000004